【手続補正書】
【提出日】平成17年5月6日(2005.5.6)
【手続補正１】
【補正対象書類名】明細書
【補正対象項目名】発明の名称
【補正方法】変更
【補正の内容】
【発明の名称】レンズ鏡胴、カメラ及びレンズ鏡胴の製造方法
【手続補正２】
【補正対象書類名】明細書
【補正対象項目名】特許請求の範囲
【補正方法】変更
【補正の内容】
【特許請求の範囲】
【請求項１】
複数のレンズ群から構成された撮影レンズを保持し、該撮影レンズの一部を構成して光軸方向に移動することによって焦点調節を行うフォーカスレンズを備えたレンズ鏡胴において、
前記レンズ鏡胴の外側に配置され、前記フォーカスレンズを駆動するフォーカスモータと、
光軸と平行に配置され、前記フォーカスモータにより回転する送りネジと、
前記送りネジと螺合するナットと、
前記フォーカスレンズを保持すると共に、前記ナットと係合し、光軸方向に直進移動するフォーカスレンズ鏡枠と、
を備えたことを特徴とするレンズ鏡胴。
【請求項２】
前記レンズ鏡胴の中の部材にガイドシャフトを光軸と平行に固着し、該ガイドシャフトに前記フォーカスレンズ鏡枠を嵌合させたことを特徴とする請求項１に記載のレンズ鏡胴。
【請求項３】
前記フォーカスレンズ鏡枠を前記ナットに圧着させる付勢部材を設けたことを特徴とする請求項１又は請求項２に記載のレンズ鏡胴。
【請求項４】
前記フォーカスレンズは最も結像面側に配置されていることを特徴とする請求項１〜３の何れか１項に記載のレンズ鏡胴。
【請求項５】
請求項１〜４の何れか１項に記載のレンズ鏡胴を備えたことを特徴とするカメラ。
【請求項６】
複数のレンズ群から構成された撮影レンズを保持し、該撮影レンズの一部を構成して光軸方向に移動することによって焦点調節を行うフォーカスレンズを備えたレンズ鏡胴の製造方法において、
前記フォーカスレンズを保持するフォーカスレンズ鏡枠と、
前記レンズ鏡胴の中の部材に光軸と平行に固着されたガイドシャフトと、
前記フォーカスレンズを駆動するフォーカスモータ、該フォーカスモータによって回転する送りネジ、該送りネジと螺合するナット、及び前記送りネジを保持する送りネジ保持部材を有するフォーカスレンズ駆動ユニットと、を備え、
前記フォーカスレンズ鏡枠を前記ガイドシャフトに嵌合させる工程と、
前記フォーカスレンズ駆動ユニットを光軸と略直交する方向から前記レンズ鏡胴に取り付け、前記ナットを前記フォーカスレンズ鏡枠に係合させる工程と、
を有することを特徴とするレンズ鏡胴の製造方法。
【請求項７】
前記フォーカスレンズ鏡枠を前記ガイドシャフトに嵌合させる工程の次に、前記フォーカスレンズ鏡枠を光軸方向に付勢して前記ナットに圧接させる付勢部材を取り付ける工程を有することを特徴とする請求項６に記載のレンズ鏡胴の製造方法。
【手続補正３】
【補正対象書類名】明細書
【補正対象項目名】０００１
【補正方法】変更
【補正の内容】
【０００１】
【発明の属する技術分野】
本発明は、レンズ鏡胴が太くならず、焦点調節の光学的精度を適正に保つことができ、且つ、組み立てが簡単なレンズ鏡胴、カメラ、及びレンズ鏡胴の製造方法に関する。
【手続補正４】
【補正対象書類名】明細書
【補正対象項目名】０００７
【補正方法】削除
【補正の内容】
【手続補正５】
【補正対象書類名】明細書
【補正対象項目名】０００９
【補正方法】変更
【補正の内容】
【０００９】
本発明はかかる問題に鑑みてなされたものであり、レンズ鏡胴が太くならず、焦点調節の光学的精度を適正に保つことができ、且つ、組み立てが簡単なレンズ鏡胴、カメラ、及びレンズ鏡胴の製造方法を提案することを目的とする。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
【課題を解決するための手段】
上記目的は下記の手段により達成される。
［１］複数のレンズ群から構成された撮影レンズを保持し、該撮影レンズの一部を構成して光軸方向に移動することによって焦点調節を行うフォーカスレンズを備えたレンズ鏡胴において、前記レンズ鏡胴の外側に配置され、前記フォーカスレンズを駆動するフォーカスモータと、光軸と平行に配置され、前記フォーカスモータにより回転する送りネジと、前記送りネジと螺合するナットと、前記フォーカスレンズを保持すると共に、前記ナットと係合し、光軸方向に直進移動するフォーカスレンズ鏡枠と、を備えたことを特徴とするレンズ鏡胴。
［２］前記レンズ鏡胴の中の部材にガイドシャフトを光軸と平行に固着し、該ガイドシャフトに前記フォーカスレンズ鏡枠を嵌合させたことを特徴とする［１］に記載のレンズ鏡胴。
［３］前記フォーカスレンズ鏡枠を前記ナットに圧着させる付勢部材を設けたことを特徴とする［１］又は［２］に記載のレンズ鏡胴。
［４］前記フォーカスレンズは最も結像面側に配置されていることを特徴とする［１］〜［３］の何れか１項に記載のレンズ鏡胴。
［５］［１］〜［４］の何れか１項に記載のレンズ鏡胴を備えたことを特徴とするカメラ。
［６］複数のレンズ群から構成された撮影レンズを保持し、該撮影レンズの一部を構成して光軸方向に移動することによって焦点調節を行うフォーカスレンズを備えたレンズ鏡胴の製造方法において、前記フォーカスレンズを保持するフォーカスレンズ鏡枠と、前記レンズ鏡胴の中の部材に光軸と平行に固着されたガイドシャフトと、前記フォーカスレンズを駆動するフォーカスモータ、該フォーカスモータによって回転する送りネジ、該送りネジと螺合するナット、及び前記送りネジを保持する送りネジ保持部材を有するフォーカスレンズ駆動ユニットと、を備え、前記フォーカスレンズ鏡枠を前記ガイドシャフトに嵌合させる工程と、前記フォーカスレンズ駆動ユニットを光軸と略直交する方向から前記レンズ鏡胴に取り付け、前記ナットを前記フォーカスレンズ鏡枠に係合させる工程と、を有することを特徴とするレンズ鏡胴の製造方法。
［７］前記フォーカスレンズ鏡枠を前記ガイドシャフトに嵌合させる工程の次に、前記フォーカスレンズ鏡枠を光軸方向に付勢して前記ナットに圧接させる付勢部材を取り付ける工程を有することを特徴とする［６］に記載のレンズ鏡胴の製造方法。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００３６
【補正方法】変更
【補正の内容】
【００３６】
一方、フロント地板１２にはガイドシャフト４５，４６が光軸Ｏと平行に立設しており、第３レンズ群３を保持する第３レンズ鏡枠８に設けた孔がガイドシャフト４５，４６と嵌合している。従って、第３レンズ鏡枠８はガイドシャフト４５，４６に沿って光軸Ｏの方向に進退自在である。また、第３レンズ鏡枠８は先端が二股に形成されてナット４３と係合する係合部８ａを上部に有していて、ガイドシャフト４５の先端に配置した地板４８と第３レンズ鏡枠８との間には圧縮バネ４７がガイドシャフト４５に挿入されている。従って、第３レンズ鏡枠８の係合部８ａの二股内の左側面がナット４３の左側面に圧接している。
【手続補正１４】
【補正対象書類名】明細書
【補正対象項目名】００３８
【補正方法】変更
【補正の内容】
【００３８】
ここで、第３レンズ鏡枠８及びフォーカスレンズ駆動ユニット４０の組み立て方法について言及すると、図１において、ガイドシャフト４５，４６をフロント地板１２に立設した状態で、第３レンズ群３を保持した第３レンズ鏡枠８を前方からガイドシャフト４５，４６に挿着する。そして、圧縮バネ４７をガイドシャフト４５に挿入し、地板４８を固定する。続いて、第１レンズ鏡枠６、第２レンズ鏡枠７を始め前方にある種々の部材を保持するカム筒１４を固定胴１１に装着し、フロント地板１２に固着した状態で、フォーカスレンズ駆動ユニット４０を光軸Ｏと略直交する方向から装着し、ナット４３を係合部８ａの二股に係合させ、送りネジ保持板４４を固定胴１１に小ネジ等で固定する。
【手続補正１５】
【補正対象書類名】明細書
【補正対象項目名】００８１
【補正方法】変更
【補正の内容】
【００８１】
【発明の効果】
請求項１〜４に記載のレンズ鏡胴、請求項５に記載のカメラ、及び請求項６〜７に記載のレンズ鏡胴の製造方法によれば、レンズ鏡胴が太くならず、焦点調節の光学的精度を適正に保つことができ、且つ、組み立てが簡単である。
【手続補正１６】
【補正対象書類名】明細書
【補正対象項目名】００８２
【補正方法】削除
【補正の内容】
【手続補正１７】
【補正対象書類名】明細書
【補正対象項目名】００８３
【補正方法】削除
【補正の内容】
【手続補正１８】
【補正対象書類名】明細書
【補正対象項目名】００８４
【補正方法】削除
【補正の内容】
【手続補正１９】
【補正対象書類名】図面
【補正対象項目名】図１
【補正方法】変更
【補正の内容】
【図１】
2003227992.tif 000001